(57)【要約】【課題】光学機器本体と周辺機器との電気的接続線を相互に接続する端子部分の構成を簡素化すると共に、電気的接続線の接続端子専用となるスペースを削減し、光学機器の機能を向上可能とする光学機器用の周辺機器を提供する。【解決手段】周辺機器本体１５、５２に設けた、三脚ネジ穴１２螺挿用の締結ねじ２４が光学機器１０に設けられた三脚ネジ穴１２内に螺挿された際に、締結ねじ２４に設けられた外部機器４４、５８に接続するための電気的接続線が接続された接続接点部が、三脚ネジ穴１２内に設けられた被接続接点部に電気的に接続され、周辺機器本体１５、５２を介して光学機器１０と外部機器４４、５８との間で送信若しくは受信若しくは送受信又は電力の供給が可能な状態とできる。【選択図】　図１
2004064187.tif 000002
【特許請求の範囲】
【請求項１】
アダプタ本体に設けた、三脚ネジ穴螺挿用の締結ねじと、
前記締結ねじが光学機器に設けられた三脚ネジ穴内に螺挿された際に前記三脚ネジ穴内に設けられた被接続接点部に電気的に接続されるように前記締結ねじに設けられた、外部機器に接続するための電気的接続線が接続された接続接点部と、
を有することを特徴とする光学機器用のアダプタ。
【請求項２】
上記光学機器用のアダプタは、三脚の機能を有することを特徴とする請求項１に記載の光学機器用のアダプタ。
【請求項３】
上記光学機器用のアダプタは、持ち運び可能としたことを特徴とする請求項１に記載の光学機器用のアダプタ。
【請求項４】
アダプタ本体に設けた三脚ネジ穴螺挿用の締結ねじと組み合わせて利用することにより光学機器の回り止めを可能なように、前記締結ねじの近くに突設された回り止め部材と、
前記回り止め部材が前記光学機器に設けられた回り止め穴内に挿入された際に前記回り止め穴内に設けられた被接続接点部に電気的に接続されるように前記回り止め部材に設けられた、外部機器に接続するための電気的接続線が接続された接続接点部と、
を有することを特徴とする光学機器用のアダプタ。
【発明の詳細な説明】
【０００１】
【発明の属する技術分野】
この発明は、光学機器に対して電気的接続線を電気的に接続可能とした、光学機器用のアダプタに関する。
【０００２】
【従来の技術】
一般に、電子装置を備えた光学機器として、いわゆる電子カメラ（デジタルカメラ）又はいわゆるビデオムービ（カメラ一体型ビデオテープレコーダ）等が広く使われている。
【０００３】
このような電子装置を備えた光学機器には、例えば特開平９−１８８２１号（特願平７−１８４７３９号）公報に記載された、ビデオムービ（カメラ一体型ビデオテープレコーダ）がある。
【０００４】
このカメラ一体型ビデオテープレコーダでは、例えば、このカメラ一体型ビデオテープレコーダで再生したビデオ信号およびオーディオ信号（以下、これらをまとめてＡＶ信号と称する）をテレビジョン受像機に伝送する際、これらの機器をケーブルで接続する必要がある。
【０００５】
そこで従来では、これらの機器の接続を容易にするためのアダプタ（周辺機器）として、常時テレビジョン受像機とケーブルで接続された状態でＡＶ信号を伝送するためのアダプタ（以下、ステーションと称する）が実用化されている。
【０００６】
このステーションを用いたＡＶ信号伝送システムでは、ステーションがＡＶ信号を伝送するためのケーブルでテレビジョン受像機と接続されている。このステーション上には、カメラ一体型ビデオテープレコーダが乗せられる。このカメラ一体型ビデオテープレコーダのＡＶ信号出力部とステーションに設けられたＡＶ信号入力部とが、ＡＶ信号を赤外線信号に変換して空間伝送する手段によって接続され、カメラ一体型ビデオテープレコーダで再生されたＡＶ信号がテレビジョン受像機に伝送される。
【０００７】
この場合、カメラ一体型ビデオテープレコーダとステーションとの間に配置されるＡＶ信号を赤外線信号に変換して空間伝送する手段は、カメラ一体型ビデオテープレコーダの外観をデザイン的にスマートにするため、次のように構成する。
【０００８】
このカメラ一体型ビデオテープレコーダには、その底部に設けられた三脚取り付け用のネジ穴の閉塞部に、再生されたビデオ及び／又はオーディオ信号を変調し赤外線信号に変換し送信する赤外線発光手段としての発光ダイオードによる赤外線発光素子が取り付けられ、ネジ穴の開口部に向け赤外線信号が照射可能なようにされている。この赤外線発光素子によって発生された赤外線信号は、ネジ穴を光路として、その上面にカメラ一体型ビデオテープレコーダが置かれるようにされたステーションに取り付けられた赤外線受光素子によって受信され、電気信号に変換され、ＡＶ信号とされる。
【０００９】
このＡＶ信号は、例えば、ケーブルを介してテレビジョン受像機に伝送される。このカメラ一体型ビデオテープレコーダでは、三脚の取り付け用のネジ穴に設けられたスイッチの状態に応じて、赤外線発光手段のＯＮ／ＯＦＦを切り替えるように構成して、赤外線信号の送信が必要ある時にのみ赤外線を発光するようにしている。
【００１０】
【発明が解決しようとする課題】
上述のような従来のカメラ一体型ビデオテープレコーダと、これに用いるステーションとでは、その三脚取り付け用のネジ穴とネジ部分とに、再生されたビデオ及び／又はオーディオ信号を変調し赤外線信号に変換し送信する赤外線発光手段及び／又は赤外線受光手段を設けると共に、赤外線発光手段及び／又は赤外線受光手段のＯＮ／ＯＦＦを切り替えるスイッチを設けて構成する。
【００１１】
このため、カメラ一体型ビデオテープレコーダと、これに用いるステーションとには、それぞれビデオ及び／又はオーディオ信号を変調し赤外線信号に変換するための回路及び／又は赤外線信号を変換オーディオ信号に変換するための回路が別途必要となる。しかも三脚取り付け用のネジ穴の狭い部分に、赤外線発光素子及び／又は赤外線受光素子とスイッチとを設置せねばならないので、小型の部品を多数設置せねばならず構造も複雑になり、製品が高価になるという問題がある。
【００１２】
本発明は上記事実に鑑み、光学機器本体とアダプタとの電気的接続線を相互に接続する端子部分の構成を簡素化すると共に、電気的接続線の接続端子専用となるスペースを削減し、光学機器の機能を向上可能とする光学機器用のアダプタを新たに提供することを目的とする。
【００１３】
【課題を解決するための手段】
本発明の光学機器用のアダプタは、第１に、アダプタ本体に設けた、三脚ネジ穴螺挿用の締結ねじと、締結ねじが光学機器に設けられた三脚ネジ穴内に螺挿された際に三脚ネジ穴内に設けられた被接続接点部に電気的に接続されるように締結ねじに設けられた、外部機器に接続するための電気的接続線が接続された接続接点部と、を有することを特徴とする。
【００１４】
上述のように構成することにより、アダプタ本体に光学機器を取り付けると、三脚ネジ穴内に締結ねじに設けた接続接点部が挿入保持された状態で固定されると共に、締結ねじに設けた接続接点部に三脚ネジ穴内に装着した被接続接点部が電気的に接続される。これにより、被接続接点部を有する光学機器と、接続接点部に電気的接続線で接続されたアダプタ本体を介して外部機器との間で送信若しくは受信若しくは送受信又は電力の供給が可能な状態とできる。
【００１５】
また、光学機器を三脚に締結ねじで取り付けるという簡単な作業によって、光学機器とアダプタとを電気的接続線で接続する作業を実行できるから、光学機器をアダプタに電気的に接続するという作業を、光学機器を三脚に取り付けるという習熟した作業に置き換えることによって、光学機器とそのアダプタとの操作性（使い勝手）を向上し作業能率を向上できる。
【００１６】
本発明の光学機器用のアダプタは、第２に、請求項１の光学機器用のアダプタにおいて、光学機器用のアダプタが、三脚の機能を有することを特徴とする。
【００１７】
上述のように構成することにより、アダプタ本体としての三脚に光学機器を取り付けると、三脚ネジ穴内に締結ねじに設けた接続接点部が挿入保持された状態で固定されると共に、締結ねじに設けた接続接点部に三脚ネジ穴内に装着した被接続接点部が電気的に接続される。これにより、被接続接点部を有する光学機器と、接続接点部に電気的接続線で接続されたアダプタ本体としての三脚を介して外部機器との間で送信若しくは受信若しくは送受信又は電力の供給が可能な状態とできる。
【００１８】
また、光学機器を三脚に締結ねじで取り付けるという簡単な作業によって、光学機器とアダプタとを電気的接続線で接続する作業を実行できるから、光学機器をアダプタに電気的に接続するという作業を、光学機器を三脚に取り付けるという習熟した作業に置き換えることによって、光学機器とそのアダプタとの操作性（使い勝手）を向上し作業能率を向上できる。さらに、光学機器をアダプタ本体としての三脚に取り付けて用いる場合には、例えば光学機器を所望の場所に設置して定点撮影をすることが可能となるから、光学機器をアダプタ本体としての三脚に固定して使用したい所へ設置し、離れた場所からアダプタを介して外部機器でリモートコントロールしながら作業を行うというように、光学機器に新たな機能を発揮させ、光学機器の用途を拡大させることができる。
【００１９】
本発明の光学機器用のアダプタは、第３に、請求項１の光学機器用のアダプタにおいて、光学機器用のアダプタを、持ち運び可能としたことを特徴とする。
【００２０】
上述のように構成することにより、光学機器に、ポータブルタイプのアダプタ本体を取り付けると、三脚ネジ穴内に締結ねじに設けた接続接点部が挿入保持された状態で固定されると共に、締結ねじに設けた接続接点部に三脚ネジ穴内に装着した被接続接点部が電気的に接続される。これにより、被接続接点部を有する光学機器と、接続接点部に電気的接続線で接続されたポータブルタイプのアダプタ本体を介して外部機器との間で送信若しくは受信若しくは送受信又は電力の供給が可能な状態とできる。
【００２１】
また、光学機器の三脚ネジ穴に締結ねじでポータブルタイプのアダプタ本体を取り付けるという簡単な作業によって、光学機器とアダプタとを電気的接続線で接続する作業を実行できるから、光学機器をアダプタに電気的に接続するという作業を、光学機器の三脚ネジ穴に締結ねじを締結するという習熟した作業に置き換えることによって、光学機器とそのアダプタとの操作性（使い勝手）を向上し、作業能率を向上できる。
【００２２】
また、光学機器にポータブルタイプで通信の媒介機能を有するアダプタ本体を一体的に取り付けて用いる場合には、例えば、使用者がこれら一体となった光学機器とアダプタ本体とを容易に持ち運びできるから、通信の媒介機能を有するアダプタ本体を付けた光学機器を手に持って使用し、このときに記録したデータを外部機器へ送信して、外部機器でデータを処理したり、外部機器の大容量の記憶部に大量のデータを容易かつ迅速に保存させることも可能になる。
【００２３】
これにより、光学機器自体に容量の大きな記憶部を設ける必要が無くなるので、光学機器自体を小型軽量化できる。
【００２４】
本発明の光学機器用のアダプタは、第４に、アダプタ本体に設けた三脚ネジ穴螺挿用の締結ねじと組み合わせて利用することにより光学機器の回り止めを可能なように、締結ねじの近くに突設された回り止め部材と、回り止め部材が光学機器に設けられた回り止め穴内に挿入された際に回り止め穴内に設けられた被接続接点部に電気的に接続されるように回り止め部材に設けられた、外部機器に接続するための電気的接続線が接続された接続接点部と、を有することを特徴とする。
【００２５】
上述のように構成することにより、三脚ネジ穴に付随する回り止め穴の構造をそのまま利用して、回り止め穴内に回り止め部材に設けた接続接点部を挿入保持した状態とし、この接続接点部に回り止め穴内に装着した被接続接点部を電気的に接続させる。これにより、被接続接点部に電気的接続線が接続された光学機器と、接続接点部に電気的接続線で接続された通信の媒介機能又は電源電力の供給機能を有するアダプタを介して、外部機器との間で送信若しくは受信若しくは送受信又は電力の供給が可能な状態とできる。
【００２６】
また例えば、アダプタ本体の接続すべき所定の電気的接続線を接続する接続構造を、光学機器本体に設けた三脚ネジ穴と、回り止め穴との２組に対応して構成した場合には、２つのルートで別々の信号を同時に送受信することが可能となるから、映像信号、音声信号、制御信号等の各種の信号を２つのルートを通じてより効率良く、かつ送受信にかかる時間を半減するといったように迅速に送受信でき、雑音も入らないように送受信できる。さらに、２つのルートを使ってアナログ信号とデジタル信号とを別々に送受信でき、加えて２つのルートを使って別々の電子機器に同時に送受信することもできる。さらに、光学機器本体に設けた三脚ネジ穴と回り止め穴との２組に対応したアダプタを介して外部機器との間を、２本の送信線で接続する場合には、ＤＳＬ（Ｄｉｇｉｔａｌ　Ｓｕｂｓｃｒｉｂｅｒ　Ｌｉｎｅ、すなわち高速常時接続通信を可能とする技術、例えば有線電話回線網、有線放送電話網等を利用したＤＳＬ）を利用して高速通信を可能とする。
【００２７】
【発明の実施の形態】
以下、本発明の光学機器用のアダプタに関する第１実施の形態について、図１乃至図３により説明する。本第１実施の形態に係わる光学機器は、図１に実線で示すように、小型縦型のカメラとして構成する。
【００２８】
この小型縦型のカメラ本体１０は、縦長な矩形状に形成し、その底部中央にＪＩＳ又はＩＳＯ規格の雌ねじを切った三脚ネジ穴１２を配置する。この小型縦型のカメラ本体１０は、その三脚ネジ穴１２に通信の媒介機能を有するアダプタ（周辺機器）本体としての三脚１５の台部に設置した三脚ネジ穴螺挿用の雄ねじである締結ねじ２４を螺挿することによって三脚１５に固定した状態にして撮影の作業を行えるようにする。
【００２９】
これと共に、小型縦型のカメラ本体１０には、その三脚ネジ穴１２部分に、電気信号線又は電力供給線等の電気的接続線を接続する接続構造を設ける。
【００３０】
図２及び図３に示すように小型縦型のカメラ本体１０には、通信の媒介機能を有するアダプタ又は電力供給手段との間で電気信号線又は電力供給線等の電気的接続線を接続する接続構造の一方の部分として、三脚ネジ穴１２の穴底（閉塞部）中央部分に挿通孔部１８を構成し、この挿通孔部１８の中心部に穿孔した貫通孔内に被接続接点部である接続針部１４を摺動自在に挿通する。さらに、この接続針部１４は、その後端をケース１７との間に架設した圧縮コイルばね１６で押すように付勢し、被接続接点部である接続針部１４の先端部が、三脚ネジ穴１２の穴底の貫通孔から所定長さ延出すると共に、伸縮動作可能なように装着する。
【００３１】
この被接続接点部である接続針部１４は、電気的な接続を確実かつ良好にするため、導電性の良好な材料で形成すると共に、その先端部を円錐状に尖った頭部に形成する。なお、接続針部１４には、三脚ネジ穴１２の穴底の貫通孔から抜け落ちないようにするストッパを設ける。
【００３２】
このカメラ本体１０では、図示しないが、その内部に設置した電気通信手段（インタフェース、電気信号の送信又は受信を行うための通信回線、その他の電気信号を利用した通信手段）又は電力供給手段から引き出した電気信号線又は電力供給線等の電気的接続線を被接続接点部である接続針部１４に接続する。
【００３３】
また、三脚ネジ穴１２の穴底（閉塞部）部分には、接続針部１４と三脚ネジ穴１２の雌ねじ部分との間で電気的に絶縁するため、挿通孔部１８の周囲を取り巻くように絶縁部材２０を配置する。
【００３４】
図２及び図３に示すように、小型縦型のカメラ本体１０の三脚ネジ穴１２部分にカメラ本体１０と通信の媒介機能を有するアダプタ（周辺機器）とを接続する接続構造の他方の部分を構成するものとして、通信の媒介機能を有するアダプタ（周辺機器）側の電気的接続線の接続端子部２２を設ける。
【００３５】
この接続端子部２２は、例えばアダプタ（周辺機器）本体としての三脚１５に設けたカメラ本体１０を固定するための三脚ネジ穴螺挿用雄ねじである締結ねじ２４と一体的に構成する。なお接続端子部２２は、図示しないが、外部機器等との間で信号を伝送するための通信の媒介機能を有するアダプタである周辺機器（ステーション）におけるカメラ本体１０との接続部として構成し（締結ねじと一体構造にしても良い）、又は外部機器等へ信号を伝送するために接続された通信の媒介機能を有するアダプタ（周辺機器）である電気的接続線の接続端子部材として構成しても良い（締結ねじと一体構造にしても良い）。
【００３６】
この接続端子部２２は、その外周部分を、一般に用いられている三脚ネジ穴１２に締結用のＪＩＳ規格における雄ねじが穿設された三脚ネジ穴螺挿用の締結ねじ２４として形成する。
【００３７】
この接続端子部２２は、締結ねじ２４の中心軸に沿った部分に、被接続接点部である接続針部１４と接続するための接続接点部である接続頭部２６を設ける。この接続頭部２６は、円柱又は角柱状で、その先端面の中央部にすり鉢状（接続針部１４先端の円錐形状に対応した円錐凹部状）の端子接点としての接続針の受け部２８を形成する。
【００３８】
この接続端子部２２は、接続接点部である接続頭部２６の周囲を取り巻くように絶縁部材３０を配置し、接続頭部２６が、これを保持する部材である締結ねじ２４における雄ねじを穿設した外周部分から電気的に絶縁されるように構成する。
【００３９】
この接続端子部２２の接続頭部２６には、外部機器等の電気通信手段（インタフェース、電気信号の送信又は受信を行うための通信回線、その他の電気信号を利用した通信手段）又は電力供給手段として、図示しない外部機器等から引き出した電気的接続線の先端部を接続する。
【００４０】
なお、この接続端子部２２は、その外周部に締結ねじ２４のねじ溝を設ける代わりに、三脚ネジ穴１２孔内に容易に抜け出さないように挿入して保持可能にすると共に三脚ネジ穴１２孔内から引き出して取り外し可能とする構成を、接続端子部２２の外周部に設けて構成しても良い。
【００４１】
また小型縦型のカメラ本体１０には、三脚ネジ穴１２部分の被接続接点部である接続針部１４が三脚１５等に設けた接続端子部２２の接続接点部である接続頭部２６と接続されて外部機器との間で送信若しくは受信若しくは送受信又は電力の供給が可能な状態となっているか、又は三脚ネジ穴１２に、三脚１５の一般の締結ねじ２４が締結されているだけで、外部機器との間で送受信が不可能な状態となっているかを、検出するための接続状態の判別手段を、中央処理装置の機能の一部等として設ける。
【００４２】
この接続状態の判別手段は、カメラ本体１０の電気信号線又は電力供給線等の電気的接続線を接続する接続構造における、三脚ネジ穴１２の被接続接点部である接続針部１４と三脚ネジ穴１２の雌ねじを切った部分とが同電位であるときに、三脚１５の一般の締結ねじ２４が締結されているだけで、外部機器との間で送受信が不可能な状態と判断する。そして、カメラ本体１０は、接続状態の判別手段が外部機器との間で送受信が不可能な状態と判断した場合に、外部機器と送受信する機能を自動的に停止させる。
【００４３】
また接続状態の判別手段は、カメラ本体１０の電気信号線又は電力供給線等の電気的接続線を接続する接続構造における、三脚ネジ穴１２の接続針部１４と三脚ネジ穴１２の雌ねじを切った部分とが異なる電位であるときに、接続端子部２２の接続接点部である接続頭部２６と接続されて外部機器との間で送信若しくは受信又は送受信が可能な状態となっている状態と判断する。なお、このカメラ本体１０では、接続針部１４と三脚ネジ穴１２の雌ねじを切った部分とが異なる電位であるため送信若しくは受信又は送受信が可能な状態と判断した場合でも、さらにテスト用の信号を送信して確認するようにしても良い。
【００４４】
そして、カメラ本体１０は、接続状態の判別手段が外部機器との間で送信若しくは受信又は送受信が可能な状態と判断した場合に、外部機器と送信若しくは受信又は送受信する機能を動作状態にして、所要の通信を自動的に実行可能とする。
【００４５】
なお、図示しないがカメラ本体１０には、マニュアル操作用の通信状態の切り換えスイッチを別途設けておき、使用者の手動操作で切り換え操作を可能にしても良い。
【００４６】
また、前述したカメラ本体１０における被接続接点部である接続針部１４は、図１０に例示するように、締結ねじ２４の回転中心軸に対して偏心した位置で接続頭部２６の接続針の受け部２８部分と、接続針部１４の先端とが圧接するように構成しても良い。このように構成した場合には、締結ねじ２４を三脚ネジ穴１２内にねじ込むときの回転動作によって、接続針部１４の先端が、接続頭部２６の接続針の受け部２８の面に接触する際、これらが圧接しながら摺接することになるので、接続針部１４の先端と接続頭部２６の接続針の受け部２８の面との間の接点部分をセルフクリーニングできる。
【００４７】
よって、接続針部１４の先端と接続頭部２６の接続針の受け部２８の面との間の接触抵抗（圧力）を増やすことなく、良好な接触を維持することができ、電気信号の伝達又は電源電力送電等のために、電気的に適切に接続することができる。
【００４８】
図１に示すように、小型縦型のカメラ本体１０には、その一方の側部にレリーズボタン（いわゆるシャッタボタン）３２を配置する。
【００４９】
なお、この小型縦型のカメラ本体１０では、レリーズボタン３２と共に、図示しないが、その他種々の機能用の操作ボタンを配置して構成しても良い。
【００５０】
この図１に示す小型縦型のカメラ本体１０は、被写体像を表わす映像信号をディジタル画像データに変換しかつデータ圧縮したのちに半導体メモリ（内蔵メモリ、例えば、カメラ内蔵のフラッシュメモリ、または着脱自在なカード状メモリ）に記憶するディジタル・スチル・カメラとして構成する。なお、このカメラ本体１０は、動画を撮影可能なビデオカメラと同様な機能を持つものとして構成しても良い。
【００５１】
この小型縦型のカメラ本体１０では、レリーズボタン３２を、いわゆる２段ストローク・タイプのものとして構成しても良い。
【００５２】
このように構成した場合に、レリーズボタン３２は、図示しない第１と第２のスイッチを有し、レリーズボタン３２の第１段階の押下で第１スイッチがオンとなり，このオン信号に応答して撮影準備をするために合焦動作等の各種動作が開始し、レリーズボタン３２がさらに押し込まれて第２段階に達すると第２スイッチがオンとなり，このオン信号に応答して撮影動作が開始されることになる。
【００５３】
また、小型縦型のカメラ本体１０の前面には，撮像レンズ装置３４、ストロボ発光部３６、図示しないが必要に応じて、ファインダ、測距窓等が装着されている。
【００５４】
この小型縦型のカメラ本体１０の背面には、図示しない画像表示部（モニタ）を設ける。この画像表示部は、例えば、液晶ディスプレイ（ＬＣＤ）で構成する。
【００５５】
また小型縦型のカメラ本体１０の背面には、図示しないが、主電源スイッチ、テレ・ワイド設定ボタン、ストロボ強制撮影設定ボタン、時刻設定ボタン、再生モード設定ボタン、圧縮率設定ボタン等の各種操作ボタンを配置する。
【００５６】
この小型縦型のカメラ本体１０の内部には、撮像レンズ装置３４の後方に図示しないＣＣＤ（撮像素子）を配設し、撮像レンズ装置３４を通してＣＣＤの受光面に結像した被写体像を、ＣＣＤにおいて光電変換し、画像信号として順次読み出すように構成する。
【００５７】
この画像信号は、信号処理部に伝達されて、ゲイン調整、Ａ／Ｄ変換、輝度／色差信号信号生成、及びガンマ補正等の信号処理をされてから画像表示部に導かれる。そして、画像表示部上に撮影画像が表示される。
【００５８】
また、小型縦型のカメラ本体１０は、自動露出調整（ＡＥ）機能及びオートフォーカス（ＡＦ）機能を具備しており、使用者が小型縦型のカメラ本体１０の撮像レンズ装置３４を被写体に向けるだけで、最適な露出調整及びピント合わせが自動的に行われるように構成する。
【００５９】
そしてこのとき画像表示部に映し出される画像（プレビュー動画）を見ながら構図を決定し、レリーズボタン３２を押圧すると、画像表示部の画像が静止（フリーズ）し、レリーズボタン３２の押圧時にＣＣＤから読み出された画像信号が所定の処理を経て内蔵メモリ、例えば、カメラ内蔵のフラッシュメモリ、または着脱自在なカード状メモリ等の記録部に記録される。そして、かかる記録処理が完了すると、フリーズを解除して動画又は間欠画表示のモードに戻る。
【００６０】
この小型縦型のカメラ本体１０は、再生モードを有し、記録部に記録されている画像データを読み出してその画像を画像表示部上に表示する。
【００６１】
また、カメラ本体１０は、その三脚ネジ穴１２に、通信の媒介機能を有するアダプタ（周辺機器）本体としての三脚１５における締結ねじ２４が電気的に接続されて、三脚１５から図１に一部想像線で示す接続ケーブル４２Ａを介してパーソナルコンピュータ（パソコン）４４等の外部機器へ接続された際に、画像データ、音声データ又は制御信号等の信号の送信又は受信を可能とする通信機能を備え、例えば、カメラ本体１０で撮影した画像データを外部機器へ送信可能とし、又は外部機器から画像データを受入し、その画像を画像表示部（モニタ）上に表示可能とする。
【００６２】
これと共に、パーソナルコンピュータ４４等から入力された指令信号に基づいて、カメラ本体１０が備える各種の動作機能が制御され得るように構成する。すなわち、カメラ本体１０は、通信の媒介機能を有するアダプタ（周辺機器）本体としての三脚１５を介して接続されたパーソナルコンピュータ４４等の外部機器によって、カメラ本体１０に備わる前述した種々の機能をリモートコントロール可能に構成する。
【００６３】
次に、上述のように構成された本第１実施の形態に係る、三脚ネジ穴１２部分に設けた電気的接続線を接続する接続構造を具備する小型縦型のカメラ本体１０の作用及び使用方法について説明する。
【００６４】
このカメラ本体１０は、小型縦型に構成されており、その底部にＪＩＳ規格の三脚ネジ穴１２が配置されている。
【００６５】
このような小型縦型のカメラ本体１０は、これを使用する場合に、三脚１５に固定して使用すると便利である。そこで、小型縦型のカメラ本体１０は、その三脚ネジ穴１２に三脚１５の三脚ネジ穴螺挿用の締結ねじ２４を螺挿して、三脚１５上に保持した状態で使用する。
【００６６】
また、通信の媒介機能を有するアダプタ（周辺機器）本体としての三脚１５を用いた場合は、三脚ネジ穴１２内に三脚１５の締結ねじ２４を螺挿すると、締結ねじ２４の接続頭部２６が三脚ネジ穴１２の奥底へ挿入される動作によって、接続頭部２６の接続針の受け部２８に被接続接点部である接続針部１４の先端が当たる。さらに接続頭部２６が三脚ネジ穴１２の奥底へ挿入される動作によって、接続接点部である接続頭部２６は、圧縮コイルばね１６の付勢力に抗して接続針部１４を三脚ネジ穴１２の内部から押し出しながら図３に示す、三脚ネジ穴１２に接続端子部２２の締結ねじ２４が締結された状態となる。
【００６７】
すなわち、カメラ本体１０がアダプタ（周辺機器）本体としての三脚１５に一体的に支持され、カメラ本体１０と通信の媒介機能を有するアダプタ（周辺機器）本体としての三脚１５とが電気的に接続された状態となる。
【００６８】
この三脚ネジ穴１２に接続端子部２２の締結ねじ２４が締結された状態では、接続接点部である接続頭部２６のすり鉢状の接続針の受け部２８内に、被接続接点部である接続針部１４の円錐状に尖った先端部が、圧縮コイルばね１６による所定の付勢力で圧接され、電気的に適切に接続された状態を保持する。
【００６９】
さらに、この状態では、三脚ネジ穴１２に締結ねじ２４が締結されているので、三脚ネジ穴１２から締結ねじ２４が緩んで自然に抜け落ちるようなことが起こりにくいと共に、三脚ネジ穴１２に対して締結ねじ２４が不動な状態を維持して締結されているから、接続頭部２６と接続針部１４との相対的な位置も不動となって、これらの間に働く圧接力も一定に保たれるから、接続頭部２６と接続針部１４との間の電気的接続を一定に保って良好に通信できる。
【００７０】
この小型縦型のカメラ本体１０では、その電気的接続線を接続する三脚ネジ穴１２に、通信の媒介機能を有するアダプタ（周辺機器）本体としての三脚１５（この三脚１５には接続ケーブル４２Ａを介してパーソナルコンピュータ４４が接続されている）に設けた接続端子部２２の締結ねじ２４を締結する操作を行うと、小型縦型のカメラ本体１０の図示しない中央処理装置が、自動的に接続状態の判別手段を働かせてパーソナルコンピュータ４４等の外部機器との間で送信若しくは受信又は送受信が可能な状態と判断した場合に、パーソナルコンピュータ４４等の外部機器と送信若しくは受信又は送受信する機能を動作状態にし、所要の通信を自動的に実行可能とする。
【００７１】
よって、使用者は、カメラ本体１０で撮影した画像信号をパーソナルコンピュータ４４等の外部機器へ送信して所望の処理を実行したり、若しくはパーソナルコンピュータ４４等の外部機器におけるモニタ４６にカメラ本体１０で撮像している画像を表示したり、若しくはパーソナルコンピュータ４４に付属するキーボード４８及びマウス５０等の外部機器に対して入力された指令信号に基づいてカメラ本体１０のモニタに画像を表示したり、又はカメラ本体１０の各機能をパーソナルコンピュータ４４等の外部機器によって遠隔操作する等の種々の操作をすることができる。
【００７２】
この小型縦型のカメラ本体１０をパーソナルコンピュータ４４等の外部機器で遠隔操作可能な機能としては、例えば，撮像レンズ装置３４の操作、ストロボ発光部３６の操作、測距装置の操作、画像表示部（モニタ）へ動画又は間欠画表示する操作、主電源スイッチの操作、テレ・ワイド設定の操作、ストロボ強制撮影設定の操作、時刻設定の操作、再生モード設定の操作、圧縮率設定の操作、自動露出調整（ＡＥ）機能及びオートフォーカス（ＡＦ）機能の操作、画像表示部に映し出される画像（プレビュー動画）の操作、レリーズボタン３２の操作、内蔵メモリ、例えば、カメラ内蔵のフラッシュメモリ、または着脱自在なカード状メモリ等への記録の操作、再生モードに設定して記録部に記録されている画像データを読み出す操作、画像データ、音声データ又は制御信号等の信号の送信をする操作、外部機器から画像データを受信する操作等がある。
【００７３】
また、小型縦型のカメラ本体１０では、三脚１５に設けた接続端子部２２の締結ねじ２４を取り外すと、小型縦型のカメラ本体１０の図示しない中央処理装置が、自動的に接続状態の判別手段を働かせて外部機器との間で送受信が不可能な状態と判断する。そして、カメラ本体１０は、接続状態の判別手段が外部機器との間で送受信が不可能な状態と判断した場合に、外部機器と送受信する機能を自動的に停止させる。
【００７４】
さらに、このカメラ本体１０では、三脚ネジ穴１２に三脚１５の一般の締結ねじ２４が締結された場合でも、中央処理装置が自動的に外部機器と送受信する機能を自動的に停止させる。
【００７５】
このようにアダプタ（周辺機器）を接続取り外し可能に構成したカメラ本体１０では、アダプタ（周辺機器）本体としての三脚１５（この三脚１５には接続ケーブル４２Ａを介してパーソナルコンピュータ４４が接続されている）に対して、カメラ本体１０を締結ねじ２４を締結する作業により取り付けるだけで、カメラ本体１０をパーソナルコンピュータ４４へ電気的に接続することができる。
【００７６】
すなわち、カメラの使用者は、カメラ本体１０を三脚１５に取り付けるという作業に通常習熟しているから、このカメラ本体１０を三脚１５の締結ねじ２４で締結する作業を容易に、迅速に、かつ確実に実行できる。
【００７７】
よって、使用者は、カメラ本体１０を三脚１５に取り付けるという習熟した作業によって、カメラ本体１０をパーソナルコンピュータ４４等の外部機器に電気的に接続する作業を実行できる。
【００７８】
このため、カメラの使用者が普段あまり行わないと考えられるカメラ本体１０をパーソナルコンピュータ４４等の外部機器に電気的に接続するという不案内な作業を、カメラ本体１０を三脚１５に取り付けるという習熟した作業に置き換えることによって、カメラ本体１０とその通信の媒介機能を有するアダプタ（周辺機器）との操作性（使い勝手）を向上し、作業能率を向上できる。
【００７９】
また、ネジで固定された接続であるので、アダプタを引っ張られたりするときに不用意に接続が切れたりすることがない。
【００８０】
また、カメラ本体１０をアダプタ（周辺機器）本体としての三脚１５（この三脚１５には接続ケーブル４２Ａを介してパーソナルコンピュータ４４が接続されている）に取り付けて用いる場合には、カメラ本体１０を所望の場所に設置して定点撮影をすることが可能となるから、例えば、カメラ本体１０を通信の媒介機能を有するアダプタ（周辺機器）本体としての三脚１５に固定して監視したい所へ向けて設置し、離れた場所から接続ケーブル４２Ａで接続されたパーソナルコンピュータ４４のモニタ４６を用いて監視作業を行うことができる。
【００８１】
さらに、このカメラ本体１０は、パーソナルコンピュータ４４のキーボード４８の操作により、リモートコントロールできるので、パーソナルコンピュータ４４側からモニタ４６でカメラ本体１０の捉えている画像を見ながら撮影する作業を実行することも可能である。
【００８２】
すなわち、通常のカメラ本体１０を、通信の媒介機能を有するアダプタ（周辺機器）本体としての三脚１５（この三脚１５には接続ケーブル４２Ａを介してパーソナルコンピュータ４４が接続されている）を利用する場合には、カメラ本体１０に新たな機能を発揮させ、カメラ本体１０の用途を拡大させることができる。
【００８３】
図１に示すように、カメラ本体１０に用いる通信の媒介機能を有するアダプタ（周辺機器）は、三脚１５に一体的に構成するばかりで無く、持ち運びが容易なように小型軽量に構成したポータブルなタイプの通信の媒介機能を有するアダプタ本体５２に構成しても良い。
【００８４】
このポータブルタイプの通信の媒介機能を有する本体５２は、カメラ本体１０の三脚ネジ穴１２が穿設されている底面と同形の平面形状を有する矩形小箱状に形成する。
【００８５】
このポータブルタイプのアダプタ本体５２には、その上面部中央に締結ねじ２４を装着する。この締結ねじ２４は、アダプタ本体５２の側部に露呈するよう側した操作ダイヤル５４で回動されて、三脚ネジ穴１２へねじ込む作業を行えるように構成する。
【００８６】
また、このポータブルタイプの通信の媒介機能を有するアダプタ本体５２は、必要に応じてカメラ本体１０に設けた図示しない出力又は入力用の各信号線の電気的接続構造と接続可能とするため、アダプタ本体５２の上面部の所定部所に、図１に想像線で示すような接続部５６を設ける。
【００８７】
また、ポータブルタイプで通信の媒介機能を有するアダプタ本体５２には、接続ケーブル４２Ｂを介してパーソナルコンピュータ４４を接続する。なお、ポータブルタイプで通信の媒介機能を有するアダプタ本体５２は、無線ＬＡＮシステムによって、パーソナルコンピュータ４４と通信可能に構成しても良い。
【００８８】
このように、カメラ本体１０にポータブルタイプで通信の媒介機能を有するアダプタ本体５２を一体的に取り付けて用いる場合には、使用者がこれら一体となったカメラ本体１０と通信の媒介機能を有するアダプタ本体５２とを容易に持ち運びできるから、通信の媒介機能を有するアダプタ本体５２を付けたカメラ本体１０を手に持って撮影を行い、この撮影した画像データをパーソナルコンピュータ４４へ送信し、パーソナルコンピュータ４４のハードディスク等の記憶部に記録して保存することもできる。
【００８９】
このようにカメラ本体１０で撮影した画像データを直ちにパーソナルコンピュータ４４へ送信して保存する場合には、カメラ本体１０側で画像データを保存する必要が無くなる。よって、カメラ本体１０に装着した記憶媒体や取り外し可能な記憶媒体等の記憶容量に制限されること無く、大量の画像データを容易かつ迅速に保存することができる。
【００９０】
さらに、カメラ本体１０で撮影した画像を直ちにパーソナルコンピュータ４４のモニタ４６で確認する作業もできる。
【００９１】
図１に示すように、ポータブルタイプで通信の媒介機能を有するアダプタ本体５２には、図１に一部想像線で示す接続ケーブル４２Ｃを介して携帯電話５８を接続しても良い。
【００９２】
このようにカメラ本体１０に通信の媒介機能を有するアダプタ本体５２を介して携帯電話５８を接続して用いる場合には、使用者がこれら一体となったカメラ本体１０、アダプタ本体５２、及び携帯電話５８を容易に持ち運びできる。しかも携帯電話５８は、無線通信（ワイヤレス）を行うものであるから、屋内又は屋外の何処へでも持ち運びできる。
【００９３】
よって、使用者は、携帯電話５８とアダプタ本体５２とを付けたカメラ本体１０を手に持って撮影を行い、この撮影した画像データを携帯電話５８によって電話回線上に接続されたパーソナルコンピュータ４４へ送信し、パーソナルコンピュータ４４のハードディスク等の記憶部に記録して保存し、又は他の携帯電話へ送信して、そのモニタに表示させることもできる。
【００９４】
このようにカメラ本体１０で撮影した画像データを携帯電話５８で直ちにパーソナルコンピュータ４４へ送信して保存する場合には、カメラ本体１０側で画像データを保存する必要が無くなる。よって、カメラ本体１０に装着した記憶媒体や取り外し可能な記憶媒体等の記憶容量に制限されること無く、大量の画像データを容易かつ迅速に保存することができる。
【００９５】
さらに、カメラ本体１０で撮影した画像を直ちにパーソナルコンピュータ４４のモニタ４６上で確認したり加工する作業を行うこともできる。
【００９６】
また、カメラ本体１０にアダプタである三脚１５等を介して電力供給手段を接続して、カメラ本体１０の電源電力を供給する場合には、バッテリの容量に制限されずに、カメラ本体１０を長時間に渡って連続的に使用することができる。
【００９７】
なお、本第１実施の形態では、小型縦型のカメラ本体１０についての構成を説明したが、本発明の光学機器用のアダプタは、いかなる種類の光学機器にも適用可能である。本発明の光学機器用のアダプタに係わる光学機器は、例えばフィルムを光化学的に感光して被写体像をフィルムに固定する通常の銀塩カメラ，固体電子撮像素子（たとえばＣＣＤ）を用い，この固体電子撮像素子から出力される被写体像を表わす映像信号を磁気的または電子的に固定する（フロッピィ・ディスクに記録するまたはメモリ等に記憶する）スチル・ビデオ・カメラであっても良い。
【００９８】
次に、本発明の第２実施の形態について図４及び図５により説明する。本第２実施の形態では、外部機器側の接続すべき所定の電気的接続線を接続するためのアダプタ（周辺機器）である三脚１５又はアダプタ本体５２における接続構造である接続端子部２２だけが、カメラ本体１０の三脚ネジ穴１２によって送信若しくは受信若しくは送受信又は電力の供給を可能に接続できるように構成する。
【００９９】
このため、カメラ本体１０には、その三脚ネジ穴１２の底部中央に開口し、円柱状の孔状に形成された挿入孔３８を設ける。この挿入孔３８内には、被接続接点部である接続針部１４の先端部を臨ませる。このとき、接続針部１４は、その先端部が挿入孔３８内から突出しないように、すなわち接続針部１４の先端部が挿入孔３８内に在って三脚ネジ穴１２の底面から三脚ネジ穴１２の孔内へ突出しないように装着する。
【０１００】
また、接続端子部２２には、その締結ねじ２４に設けた接続頭部２６の自由端部分を、挿入孔３８内に挿入可能な突部を形作るよう締結ねじ２４の先端面より所定高さ突出させることにより、接続接点部としての接続突出頭部２６Ａを構成する。
【０１０１】
なお、挿入孔３８の上底面に当たる挿通孔部１８の中央部には、接続針部１４を装着する。さらに、接続突出頭部２６Ａの自由端面中央部には、接続針の受け部２８を、被接続接点部である接続針部１４の中心軸線上に対応するよう穿設する。
【０１０２】
次に、上述のように構成された本第２実施の形態に係る光学機器用のアダプタに係わる光学機器とアダプタ（周辺機器）である三脚１５又はアダプタ本体５２とにおける電気的接続線を接続する接続構造の作用及び使用方法について説明する。
【０１０３】
本第２実施の形態に係る光学機器用のアダプタにおける電気的接続線を接続する接続構造では、図４に示すように、カメラ本体１０の三脚ネジ穴１２の直下から接続端子部２２の締結ねじ２４を螺挿することにより、カメラ本体１０を接続端子部２２が設けられたアダプタ（周辺機器）である三脚１５又はアダプタ本体５２上にセットできる。
【０１０４】
このとき、締結ねじ２４が三脚ネジ穴１２内へ螺挿される動作に伴ない、接続接点部としての接続突出頭部２６Ａが挿入孔３８内に挿入され、接続突出頭部２６Ａの接続針の受け部２８に被接続接点部である接続針部１４の先端が所定の圧接力で圧接した、図５に示す締結接続状態に至る。
【０１０５】
これにより、接続突出頭部２６Ａを有する接続頭部２６と接続針部１４とが電気的に安定して接続し、良好に通信可能な状態にセットされる。なお、接続端子部２２をカメラ本体１０から取り外すときには、三脚ネジ穴１２から接続端子部２２を外せば、接続針部１４が圧縮コイルばね１６の付勢力で所定長さ挿入孔３８内に突出させられることにより、図４に示す初期の状態に自動的に復帰する。
【０１０６】
また、本第２実施の形態に係る光学機器用のアダプタの光学機器とアダプタ（周辺機器）である三脚１５又はアダプタ本体５２とにおける電気的接続線を接続する接続構造で、三脚ネジ穴１２に、三脚１５の一般の締結ねじ２４（電気的接続線を接続する接続構造を具備しないただのねじ部品）を締結する場合には、三脚ネジ穴１２に締結ねじ２４を螺挿すると、締結ねじ２４の先端面が三脚ネジ穴１２の底面までしか入り込めないので、締結ねじ２４の先端面が挿入孔３８の内部にある接続針部１４に接触することは無い。
【０１０７】
よって、三脚１５の一般の締結ねじ２４（電気的接続線を接続する接続構造を具備しないただのねじ部品）が、被接続接点部である接続針部１４に電気的に接続することを防止できる。このため、外部機器側の接続すべき所定の電気的接続線を接続する接続構造である接続端子部２２だけが、カメラ本体１０の三脚ネジ穴１２によって送信若しくは受信若しくは送受信又は電力の供給を可能に接続できることになる。
【０１０８】
なお、本第２実施の形態における以上説明した以外の構成、作用、及び効果は前述した第１実施の形態と同様であるので、同一部材には同一符号を付すこととし、その説明を省略する。
【０１０９】
次に、本発明の第３実施の形態について図６及び図７により説明する。本第３実施の形態では、外部機器側のアダプタ（周辺機器）である三脚１５又はアダプタ本体５２における接続すべき所定の電気的接続線を接続する接続構造である接続端子部２２だけが、カメラ本体１０の三脚ネジ穴１２によって送信若しくは受信若しくは送受信又は電力の供給を可能に接続できるようにすると共に、電気的に確実に接続可能に構成する。
【０１１０】
このため、カメラ本体１０には、その三脚ネジ穴１２の底部中央を貫通するように円柱状の孔状に開口された挿入孔３８を設ける。また、カメラ本体１０には、挿入孔３８に連通する有底の窪み状（逆Ｕ字状の窪み状）の穴部である挿通孔４０を形成するケース１７を設ける。この挿通孔４０の上底に当たるケース１７の上底面中央部には、被接続接点部である接続針部１４を下方に向けて突設する。このとき、接続針部１４は、その先端部が挿入孔３８及び挿通孔４０内から突出しないように、すなわち接続針部１４が挿入孔３８及び挿通孔４０内に在って、その先端部三脚ネジ穴１２の底面から三脚ネジ穴１２の孔内へ突出しないように突設する。
【０１１１】
また、接続端子部２２には、その締結ねじ２４に設けた接続接点部としての接続頭部２６の自由端部分を締結ねじ２４の先端面より所定高さ突出させ、挿入孔３８内に挿入可能な挟持接続突部２７を構成する。
【０１１２】
この挟持接続突部２７は、弾性変形が容易な導体材料を２本（複数本でも良い）に分かれた角状に形成し、その相互に向き合った側面からそれぞれ断面小三角形状の接続突起を形成する。
【０１１３】
また、挟持接続突部２７には、その２本に分かれた角状部分の間に当たる空間が被接続接点部である接続針部１４の中心軸線に沿う、縦長の隙間を設ける。
【０１１４】
そして、この挟持接続突部２７の２本に分かれた角状部分の間にある縦長の隙間に、被接続接点部である接続針部１４が挿入されて、図７に示すように、挟持接続突部２７が接続針部１４を両側から挟み付けまたは片側から圧接し、電気的に確実に接続可能なように構成する。
【０１１５】
次に、上述のように構成された本第３実施の形態に係る光学機器用のアダプタの光学機器とアダプタ（周辺機器）である三脚１５又はアダプタ本体５２とにおける電気的接続線を接続する接続構造に係わる作用及び使用方法について説明する。
【０１１６】
本第３実施の形態に係る光学機器用のアダプタの光学機器とアダプタ（周辺機器）である三脚１５又はアダプタ本体５２とにおける電気的接続線を接続する接続構造では、図６に示すように、カメラ本体１０の三脚ネジ穴１２の直下から接続端子部２２の締結ねじ２４を螺挿することにより、カメラ本体１０を、接続端子部２２が設けられたアダプタ（周辺機器）である三脚１５又はアダプタ本体５２上にセットできる。
【０１１７】
このとき、締結ねじ２４が三脚ネジ穴１２内へ螺挿される動作に伴ない、接続接点部としての挟持接続突部２７が挿入孔３８内に挿入され、挟持接続突部２７が接続針部１４を両側から挟み付けて所定の圧接力で圧接した、図７に示す締結接続状態に至る。
【０１１８】
これにより、挟持接続突部２７を有する接続頭部２６と接続針部１４とが電気的に安定して接続し、良好に通信可能な状態にセットされる。なお、接続端子部２２をカメラ本体１０から取り外すときには、三脚ネジ穴１２から接続端子部２２を外せば、接続針部１４が挟持接続突部２７の２本に分かれた角状部分の間にある縦長の隙間から引き抜かれることにより、図６に示す初期の状態に自動的に復帰する。
【０１１９】
また、本第３実施の形態に係る光学機器用のアダプタの光学機器とアダプタ（周辺機器）である三脚１５又はアダプタ本体５２とにおける電気的接続線を接続する接続構造で、三脚ネジ穴１２に、三脚１５の一般の締結ねじ２４（電気的接続線を接続する接続構造を具備しないただのねじ部品）を締結する場合には、三脚ネジ穴１２に締結ねじ２４を螺挿すると、締結ねじ２４の先端面が三脚ネジ穴１２の底面までしか入り込めないので、締結ねじ２４の先端面が挿入孔３８の内部にある接続針部１４に接触することは無い。
【０１２０】
よって、三脚１５の一般の締結ねじ２４（電気的接続線を接続する接続構造を具備しないただのねじ部品）が、被接続接点部である接続針部１４に電気的に接続することを防止できる。このため、外部機器側のアダプタ（周辺機器）である三脚１５又はアダプタ本体５２における接続すべき所定の電気的接続線を接続する接続構造である接続端子部２２だけが、カメラ本体１０の三脚ネジ穴１２によって送信若しくは受信若しくは送受信又は電力の供給を可能に接続できることになる。
【０１２１】
なお、本第３実施の形態における以上説明した以外の構成、作用、及び効果は前述した第１実施の形態又は第２実施の形態と同様であるので、同一部材には同一符号を付すこととし、その説明を省略する。
【０１２２】
次に、本発明の第４実施の形態について図１、図８及び図９により説明する。本第４実施の形態では、外部機器側のアダプタ（周辺機器）である三脚１５又はアダプタ本体５２等における接続すべき所定の電気的接続線を接続する接続構造を、三脚ネジ穴１２及び締結ねじ部分と、ビデオムービ（カメラ一体型ビデオテープレコーダ）等でも標準に設けられている回り止め穴と回り止め部材との部分に、それぞれ設けて構成したものである。
【０１２３】
この小型縦型のカメラ本体１０は、縦長な矩形状に形成し、その底部中央にＪＩＳ又はＩＳＯ規格の雌ねじを切った三脚ネジ穴１２を配置すると共に、図１に想像線で示すように、三脚ネジ穴１２から規格に定められた所定方向に所定距離だけ離れた所定位置に回り止め部材を嵌挿する回り止め穴１９を穿孔する。この小型縦型のカメラ本体１０は、その三脚ネジ穴１２に三脚１５の台部に設置した雄ねじである締結ねじ２４を螺挿することによって三脚１５に固定した状態にすると共に、回り止め穴１９に、図１に想像線で示す回り止め部材２１を嵌挿して、三脚１５に対してカメラ本体１０の向く方向を不動に固定した状態で撮影の作業を行えるようにする。
【０１２４】
これと共に、小型縦型のカメラ本体１０には、その三脚ネジ穴１２部分に電気的接続線を接続する接続構造を設けると共に、その回り止め穴１９部分に電気的接続線を接続する接続構造を設ける。
【０１２５】
図８及び図９に示すように小型縦型のカメラ本体１０には、三脚ネジ穴１２の穴部分に前述した図２及び図３に示したと同等の電気的接続線を接続する接続構造を設ける。
【０１２６】
また、図８及び図９に示すように小型縦型のカメラ本体１０には、回り止め穴１９の穴部分に前述した図２及び図３に示したと同様の構成である電気的接続線を接続する接続構造の一方の部分として、回り止め穴１９の穴底（閉塞部）中央部分に挿通孔部１８を構成し、この挿通孔部１８の中心部に穿孔した貫通孔内に被接続接点部である接続針部１４Ａを摺動自在に挿通する。さらに、この接続針部１４Ａは、その後端をケース１７との間に架設した圧縮コイルばね１６で押すように付勢し、被接続接点部である接続針部１４Ａの先端部が、回り止め穴１９の穴底の貫通孔から所定長さ延出すると共に、伸縮動作可能なように装着する。
【０１２７】
この被接続接点部である接続針部１４Ａは、電気的な接続を確実かつ良好にするため、導電性の良好な材料で形成すると共に、その先端部を円錐状に尖った頭部に形成する。なお、接続針部１４Ａには、三脚ネジ穴１２の穴底の貫通孔から抜け落ちないようにするストッパを設ける。
【０１２８】
このカメラ本体１０では、図示しないが、その内部に設置した電気通信手段（インタフェース、電気信号の送信又は受信を行うための通信回線、その他の電気信号を利用した通信手段）又は電力供給手段から引き出した電気信号線又は電力供給線等の電気的接続線を被接続接点部である接続針部１４Ａに接続する。
【０１２９】
また、回り止め穴１９の穴底（閉塞部）部分には、接続針部１４Ａと回り止め穴１９の内周面部分との間で電気的に絶縁するため、挿通孔部１８の周囲を取り巻くように絶縁部材２０を配置する。
【０１３０】
図８及び図９に示すように、小型縦型のカメラ本体１０の回り止め穴１９部分に接続された状態で電気的接続線を接続する接続構造の他方の部分を構成するものとして、外部機器等に接続する電気的接続線の接続端子部２２Ａを設ける。
【０１３１】
この接続端子部２２Ａは、これを保持する部材である、例えば三脚１５に設けたカメラ本体１０の回り止めをするための小円柱状の部材である回り止め部材２１と一体的に構成する。なお接続端子部２２Ａは、図示しないが、外部機器等との間で信号を伝送するためのアダプタ（周辺機器）である三脚１５、アダプタ本体５２又は図示しないアダプタ（ステーション）におけるカメラ本体１０との接続部として構成し（回り止め部材と一体構造にしても良い）、又は外部機器等へ信号を伝送するために接続されたアダプタ（周辺機器）である三脚１５又はアダプタ本体５２等における電気的接続線の接続端子部材として構成しても良い（回り止め部材と一体構造にしても良い）。
【０１３２】
この回り止め部材２１は、その外形を、一般に用いられている三脚１５に設ける規格に合致した回り止め部材として形成すると、各社機器と互換性が得られ、選択的に自社特定の装置とのみ接続したい場合は、規格に合致しない形状で形成しても良い。
【０１３３】
この回り止め部材２１は、その中心軸に沿った部分に、被接続接点部である接続針部１４Ａと接続するための接続接点部である接続頭部２５を設ける。この接続頭部２５は、円柱又は角柱状で、その先端面の中央部にすり鉢状（接続針部１４Ａ先端の円錐形状に対応した円錐凹部状）の端子接点としての接続針の受け部２８を形成する。
【０１３４】
この回り止め部材２１は、接続接点部である接続頭部２５の周囲を取り巻くように絶縁部材３０を配置し、接続頭部２５が、これを保持する部材である回り止め部材２１の外周部分から電気的に絶縁されるように構成する。
【０１３５】
この回り止め部材２１の接続頭部２５には、外部機器としてのアダプタ（周辺機器）である三脚１５又はアダプタ本体５２等の電気通信手段（インタフェース、電気信号の送信又は受信を行うための通信回線、その他の電気信号を利用した通信手段）又は電力供給手段として、外部機器としてのアダプタ（周辺機器）である三脚１５又はアダプタ本体５２等から引き出した電気的接続線の先端部を接続する。
【０１３６】
また小型縦型のカメラ本体１０には、回り止め穴１９部分の被接続接点部である接続針部１４Ａが三脚１５又はアダプタ本体５２等に設けた接続端子部２２Ａの接続接点部である接続頭部２５と接続されて外部機器との間で送信若しくは受信又は送受信が可能な状態となっているか、又は回り止め穴１９に、三脚１５の一般の回り止め部材２１が嵌挿されているだけで、外部機器との間で送受信が不可能な状態となっているかを、検出するための接続状態の判別手段を、中央処理装置の機能の一部等として設ける。
【０１３７】
この接続状態の判別手段は、カメラ本体１０の電気的接続線を接続する接続構造における、回り止め穴１９の被接続接点部である接続針部１４Ａと回り止め穴１９の内側面部分とが同電位であるときに、三脚１５の一般の回り止め部材が締結されているだけで、外部機器との間で送受信が不可能な状態と判断する。そして、カメラ本体１０は、接続状態の判別手段が外部機器との間で送受信が不可能な状態と判断した場合に、外部機器と送受信する機能を自動的に停止させる。
【０１３８】
また接続状態の判別手段は、カメラ本体１０の電気信号線又は電力供給線等の電気的接続線を接続する接続構造における、回り止め穴１９の接続針部１４Ａと回り止め穴１９の内側面部分とが異なる電位であるときに、接続端子部２２Ａの接続接点部である接続頭部２５と接続されて外部機器との間で送信若しくは受信又は送受信が可能な状態となっている状態と判断する。なお、このカメラ本体１０では、接続針部１４Ａと回り止め穴１９の内側面部分とが異なる電位であるため送信若しくは受信又は送受信が可能な状態と判断した場合でも、さらにテスト用の信号を送信して確認するようにしても良い。
【０１３９】
そして、カメラ本体１０は、接続状態の判別手段が外部機器との間で送信若しくは受信又は送受信が可能な状態と判断した場合に、外部機器と送信若しくは受信又は送受信する機能を動作状態にして、所要の通信を自動的に実行可能とする。
【０１４０】
なお、図示しないがカメラ本体１０には、マニュアル操作用の通信状態の切り換えスイッチを別途設けておき、使用者の手動操作で切り換え操作を可能にしても良い。
【０１４１】
また、小型縦型のカメラ本体１０は、パーソナルコンピュータ４４又は電力供給手段等の外部機器へ、三脚ネジ穴１２部分に設けたの電気信号線又は電力供給線等の電気的接続線を接続する接続構造の接続針部１４が圧接する接続接点部である接続頭部２６と、回り止め穴１９部分に設けた電気的接続線を接続する接続構造の接続針部１４Ａが圧接する接続接点部である接続頭部２５との、２つの接続線で接続されているルートを介して画像データを送信又は受信可能とし、その画像をモニタ４６（画像表示部）上に表示可能とし、若しくはカメラ本体１０で撮影した画像データを外部機器へ送信し、又は音声データを同時に送信又は受信可能に構成する。
【０１４２】
このとき、カメラ本体１０とアダプタ（周辺機器）である三脚１５又はアダプタ本体５２等を介して接続される、ＤＳＬのモデムを設置したパーソナルコンピュータ４４等の外部機器との間を、２本の送信銅線で接続し、ＤＳＬ（Ｄｉｇｉｔａｌ　Ｓｕｂｓｃｒｉｂｅｒ　Ｌｉｎｅ、すなわち高速常時接続通信を可能とする技術、例えば有線電話回線網、有線放送電話網等を利用したＤＳＬ）を利用して高速通信を可能に構成することができる。
【０１４３】
次に、上述のように構成された本第４実施の形態に係る、三脚ネジ穴１２部分に設けた電気的接続線を接続する接続構造と、回り止め穴１９部分に設けた電気的接続線を接続する接続構造とを具備する小型縦型のカメラ本体１０とアダプタ（周辺機器）である三脚１５又はアダプタ本体５２等との作用及び使用方法について説明する。
【０１４４】
このカメラ本体１０は、小型縦型に構成されており、その底部にＪＩＳ規格の三脚ネジ穴１２と回り止め穴１９とが所定の配置て設けられている。
【０１４５】
このような小型縦型のカメラ本体１０は、これを使用する場合に、例えば三脚１５に固定して使用し、又はアダプタ本体５２を一体に取り付けて使用すると便利である。そこで、小型縦型のカメラ本体１０は、その三脚ネジ穴１２に三脚１５又はアダプタ本体５２の締結ねじ２４を螺挿すると共に、その回り止め穴１９に三脚１５の回り止め部材２１を嵌挿して、三脚１５上で回らないように固定して保持した状態、又はアダプタ本体５２を一体的に固定した状態で使用する。
【０１４６】
このように三脚ネジ穴１２内に締結ねじ２４を螺挿すると、締結ねじ２４の接続頭部２６が三脚ネジ穴１２の奥底へ挿入される動作によって、接続頭部２６の接続針の受け部２８に被接続接点部である接続針部１４の先端が当たる。さらに接続頭部２６が三脚ネジ穴１２の奥底へ挿入される動作によって、接続接点部である接続頭部２６は、圧縮コイルばね１６の付勢力に抗して接続針部１４を三脚ネジ穴１２の内部から押し出しながら図９に示す、三脚ネジ穴１２に接続端子部２２の締結ねじ２４が締結された状態となる。
【０１４７】
この三脚ネジ穴１２に接続端子部２２の締結ねじ２４が締結された状態では、接続接点部である接続頭部２６のすり鉢状の接続針の受け部２８内に、被接続接点部である接続針部１４の円錐状に尖った先端部が、圧縮コイルばね１６による所定の付勢力で圧接され、電気的に適切に接続された状態となる。
【０１４８】
さらに、この状態では、三脚ネジ穴１２に締結ねじ２４が締結されているので、三脚ネジ穴１２から締結ねじ２４が緩んで自然に抜け落ちるようなことが起こりにくいと共に、三脚ネジ穴１２に対して締結ねじ２４が不動な状態を維持して締結されているから、接続頭部２６と接続針部１４との相対的な位置も不動となって、これらの間に働く圧接力も一定に保たれるから、接続頭部２６と接続針部１４との間の電気的接続を一定に保って良好に通信できる。
【０１４９】
これと共に、三脚１５又はアダプタ本体５２にカメラ本体１０を取りつける作業により、回り止め部材２１が回り止め穴１９の奥底へ挿入されることになる。この動作によって、接続頭部２５の接続針の受け部２８に被接続接点部である接続針部１４Ａの先端が当たる。さらに接続頭部２５が回り止め穴１９の奥底へ挿入される動作によって、接続接点部である接続頭部２５は、圧縮コイルばね１６の付勢力に抗して接続針部１４Ａを回り止め穴１９の内部から押し出しながら図９に示す、回り止め穴１９に接続端子部２２Ａの回り止め部材２１が嵌挿された状態となる。
【０１５０】
この回り止め穴１９に接続端子部２２Ａの回り止め部材２１が締結された状態では、接続接点部である接続頭部２５のすり鉢状の接続針の受け部２８内に、被接続接点部である接続針部１４Ａの円錐状に尖った先端部が、圧縮コイルばね１６による所定の付勢力で圧接され、電気的に適切に接続された状態となる。
【０１５１】
さらに、この状態では、三脚ネジ穴１２に締結ねじ２４が締結されているので、回り止め穴１９から回り止め部材２１が自然に抜け落ちるようなことが起こりにくいと共に、接続頭部２５と接続針部１４Ａとの相対的な位置も不動となって、これらの間に働く圧接力も一定に保たれるから、接続頭部２５と接続針部１４Ａとの間の電気的接続を一定に保って良好に通信できる。
【０１５２】
この小型縦型のカメラ本体１０では、アダプタ（周辺機器）である三脚１５又はアダプタ本体５２等の電気的接続線を接続する接続構造としての三脚ネジ穴１２に三脚１５又はアダプタ本体５２等に設けた接続端子部２２の締結ねじ２４を締結すると共に、回り止め穴１９に回り止め部材２１を嵌挿する操作を行うと、小型縦型のカメラ本体１０の図示しない中央処理装置が、自動的に各接続状態の判別手段を働かせてそれぞれ外部機器との間で送信若しくは受信又は送受信が可能な状態と判断した場合に、それぞれ外部機器と送信若しくは受信又は送受信する機能を動作状態にし、それぞれ所要の通信を自動的に実行可能とする。
【０１５３】
よって、使用者は、カメラ本体１０で撮影した画像信号と音声信号とを同時に２つのルートを通じてそれぞれ外部機器へ送信して所望の処理を実行したり、又は２つのルートを通じて外部機器で生成された信号に基づいてカメラ本体１０のモニタに画像を表示したり、２つのルートを通じてカメラ本体１０の各機能を動作制御すること等の種々の操作をすることができる。
【０１５４】
また、小型縦型のカメラ本体１０では、三脚１５又はアダプタ本体５２に設けた接続端子部２２の締結ねじ２４を取り外し、回り止め穴１９から回り止め部材２１を引き抜くと、小型縦型のカメラ本体１０の図示しない中央処理装置が、自動的に接続状態の判別手段を働かせて外部機器との間で送受信が不可能な状態と判断する。そして、カメラ本体１０は、接続状態の判別手段が外部機器との間で送受信が不可能な状態と判断した場合に、外部機器と送受信する機能を自動的に停止させる。
【０１５５】
さらに、このカメラ本体１０では、三脚ネジ穴１２に三脚１５の一般の締結ねじ２４が締結された場合又は回り止め穴１９に一般の回り止め部材２１が嵌挿された場合でも、中央処理装置が自動的に外部機器と送受信する機能を自動的に停止させる。
【０１５６】
また、本第４実施の形態では、外部機器側の接続すべき所定の電気的接続線を接続する接続構造が２組あり、２つのルートで別々の信号を同時に送受信することが可能となるから、映像信号、音声信号、制御信号等の各種の信号を２つのルートを通じてより効率良く、かつ送受信にかかる時間を半減するといったように迅速に送受信でき、雑音も入らないように送受信できる。さらに、２つのルートを使ってアナログ信号とデジタル信号とを別々に送受信でき、加えて２つのルートを使って別々の電子機器に同時に送受信することもできる。
【０１５７】
また、本第４実施の形態では、外部機器側の接続すべき所定の電気的接続線を接続する接続構造を２組とし、それぞれ銅線等の導体線で接続することにより、ＤＳＬを利用して、カメラ本体１０とパーソナルコンピュータ４４等との間で、アダプタ（周辺機器）本体としての三脚１５又はアダプタ本体５２を介して高速通信を行うことができる。
【０１５８】
また、本第４実施の形態では、図１１及び図１２に示すように、回り止め穴部分に対応して複数、例えば３つの電気的接続を可能とする手段を構成しても良い。
【０１５９】
この複数、例えば３つの電気的接続を可能とする手段の一方の部分を構成するため、小型縦型のカメラ本体１０には、電気信号線又は電力供給線等の電気的接続線を接続する接続構造の一部分である丸穴状の回り止め穴１９部分に、直径方向に延出するようそれぞれ横穴状に開口する補助穴３１、３３を穿設する。
【０１６０】
この一方の補助穴３１内には、被接続接点部である接続針部１４Ａを第１の被接続接点部としたとき、第２の被接続接点部となる接続部材３５を配置する。
【０１６１】
また、他方の補助穴３３内には、被接続接点部である接続針部１４Ａを第１の被接続接点部とし、接続部材３５を第２の被接続接点部としたとき、第３の被接続接点部となる接続部材３７を配置する。
【０１６２】
これら第２の被接続接点部となる接続部材３５と第３の被接続接点部となる接続部材３７とは、それぞれ回り止め部材２１に滑らかに摺接可能なようにするために自由端部がくの字状に屈曲した小変形弾性板材で構成する。
【０１６３】
これら第２の被接続接点部となる接続部材３５と第３の被接続接点部となる接続部材３７とを構成する小変形弾性板材は、各々基端部をねじで各対応する補助穴３１、３３の内部底面に締結し、片持梁状に支持されて各先端部を若干回り止め穴１９内に臨ませるよう配置する。
【０１６４】
図１１及び図１２に示すように、小型縦型のカメラ本体１０の回り止め穴１９部分に接続された状態で複数、例えば３つの電気的接続を可能とする手段における接続構造の他方の部分を構成するものとして、外部機器等に接続する複数、例えば３つの電気的接続を可能とする手段を構成する接続端子部２２Ａを設ける。
【０１６５】
この接続端子部２２Ａは、これを保持する部材である、例えば三脚１５に設けたカメラ本体１０の回り止めをするための小円柱状の部材である回り止め部材２１と一体的に構成する。
【０１６６】
この回り止め部材２１は、その外形形状を、一般に用いられている三脚１５に設ける規格上の回り止め部材と同等に形成する。
【０１６７】
この回り止め部材２１は、その中心軸に沿った部分に、第１の被接続接点部としての接続針部１４Ａと接続するための、第１の接続接点部である接続頭部２５を設ける。この接続頭部２５は、円柱又は角柱状で、その先端面の中央部にすり鉢状（接続針部１４Ａ先端の円錐形状に対応した円錐凹部状）の端子接点としての接続針の受け部２８を形成する。
【０１６８】
また、回り止め部材２１には、その円周面部分を略半周に渡る２つの部分に分割し、その一方の略半周に渡る部分を、第２の被接続接点部となる接続部材３５と接続するための、第２の接続接点部となる接続外面部３９として構成する。
【０１６９】
さらに、回り止め部材２１には、その円周面部分を略半周に渡る２つの部分に分割した他方の略半周に渡る部分を、第３の被接続接点部となる接続部材３７と接続するための、第３の接続接点部となる接続外面部４１として構成する。
【０１７０】
この回り止め部材２１は、接続接点部である接続頭部２５の周囲を取り巻くように絶縁部材３０を配置し、接続頭部２５が、これを保持する部材である回り止め部材２１の外周部分から電気的に絶縁されるように構成する。
【０１７１】
これと共に、回り止め部材２１の円周面部分は、略半周に渡る２つの部分に分割した、第２の接続接点部となる接続外面部３９と第３の接続接点部となる接続外面部４１との間を隔絶するように電気絶縁部材３０Ａを配置し、第２の接続接点部となる接続外面部３９と第３の接続接点部となる接続外面部４１とが、それぞれこれを保持する部材である回り止め部材２１の他の部分から電気的に絶縁されるように構成する。
【０１７２】
すなわち回り止め部材２１に設ける、第１の接続接点部である接続頭部２５と、第２の接続接点部となる接続外面部３９と、第３の接続接点部となる接続外面部４１とは、各々回り止め部材２１の他の部分から電気的に絶縁されるように構成する。
【０１７３】
この回り止め部材２１では、第１の接続接点部である接続頭部２５と、第２の接続接点部となる接続外面部３９と、第３の接続接点部となる接続外面部４１とに対して、それぞれ対応する外部機器等の別々の電気通信手段（インタフェース、電気信号の送信又は受信を行うための通信回線、その他の電気信号を利用した通信手段）又は電力供給手段から引き出した電気信号線又は電力供給線等の電気的接続線の先端部を接続する。
【０１７４】
このように構成した３つの電気的接続を可能とする手段では、図１１及び図１２に示すように、回り止め穴１９に回り止め部材２１を挿入すると、第２の被接続接点部となる接続部材３５と第３の被接続接点部となる接続部材３７とが弾性変形しながらそれぞれ対応する第２の接続接点部となる接続外面部３９又は第３の接続接点部となる接続外面部４１に圧接してそれぞれ電気的に接続する。なお、第１の接続接点部である接続頭部２５に対して接続針部１４Ａが圧接して電気的に接続することは、前述の通りである。
【０１７５】
すなわち回り止め穴１９に回り止め部材２１が挿入された接続状態において、第１の被接続接点部である接続針部１４Ａと第１の接続接点部である接続頭部２５とが接続し、第２の被接続接点部である接続部材３５と第２の接続接点部となる接続外面部３９とが接続し、第３の被接続接点部である接続部材３７と第３の接続接点部となる接続外面部４１とが接続して、３つの電気的接続を可能とする。
【０１７６】
また、この複数、例えば３つの電気的接続を可能とする手段では、回り止め穴１９から回り止め部材２１を引き出すと、これら３つの電気的接続が切り離される。
【０１７７】
さらに、この複数、例えば３つの電気的接続を可能とする手段は、図示しないが、回り止め部材２１の円周面部分を、例えば、中心角略９０度毎の４つに分割し、又は中心角略４５度毎に８つに分割し、各分割された接続接点部となる接続外面部のそれぞれに対応するように、それぞれ被接続接点部となる接続部材を装着して、所要複数の電気的接続を可能とする手段を構成することができる。
【０１７８】
このように、所要複数の電気的接続を可能とする手段によれば、回り止め穴１９とこれに嵌挿する回り止め部材２１との間で２回線以上の電気的接続が可能となり、三脚ネジ穴１２に螺挿する締結ねじ２４に設ける接続端子部２２との間で１回線の電気的接続が得られることと加え合わせると、３回線の電気的接続が可能となる。
【０１７９】
さらに、所要複数の電気的接続を可能とする手段によれば、回り止め穴１９とこれに嵌挿する回り止め部材２１との間で所要多数だけ回線を増やして電気的接続を可能とできる。よって、使用上のニーズに対応して回線数を増加し、同時に平行して送信若しくは受信若しくは送受信又は電力の供給を実行することができ、通信能力を向上し、通信速度を向上でき、かつ所要複数の信号回線数を確保した上で、同時に他の回線を使って電源電力の送電等を実行可能とする。
【０１８０】
なお、上述した本第４実施の形態では、外部機器側のアダプタ（周辺機器）である三脚１５又はアダプタ本体５２等における接続すべき所定の電気的接続線を接続する接続構造を、三脚ネジ穴１２と、回り止め穴１９との部分に、それぞれ設けて構成したものについて説明したが、外部機器側の接続すべき所定の電気的接続線を接続する接続構造を、回り止め穴１９の部分にのみ設けて構成しても良いし、外部機器側の接続すべき所定の電気的接続線を接続する接続構造を第２実施の形態、又は第３実施の形態の構成と適宜置き換えて構成しても良いことは勿論である。
【０１８１】
また、本第４実施の形態における以上説明した以外の構成、作用、及び効果は前述した第１実施の形態、第２実施の形態、又は第３実施の形態と同様であるので、同一部材には同一符号を付すこととし、その説明を省略する。
【０１８２】
【発明の効果】
本発明の光学機器用のアダプタは、第１に、アダプタ本体に三脚ネジ穴螺挿用の締結ねじを設け、締結ねじが光学機器に設けられた三脚ネジ穴内に螺挿された際に三脚ネジ穴内に設けられた被接続接点部に電気的に接続されるように締結ねじに、外部機器に接続するための電気的接続線が接続された接続接点部を設けて構成する。
【０１８３】
これにより、アダプタ本体に光学機器を取り付けると、三脚ネジ穴内に締結ねじに設けた接続接点部が挿入保持された状態で固定されると共に、締結ねじに設けた接続接点部に三脚ネジ穴内に装着した被接続接点部が電気的に接続される。また、被接続接点部を有する光学機器と、接続接点部に電気的接続線で接続されたアダプタ本体を介して外部機器との間で送信若しくは受信若しくは送受信又は電力の供給が可能な状態とできるという効果がある。
【０１８４】
また、光学機器を三脚に締結ねじで取り付けるという簡単な作業によって、光学機器とアダプタとを電気的接続線で接続する作業を実行できるから、光学機器をアダプタに電気的に接続するという作業を、光学機器を三脚に取り付けるという習熟した作業に置き換えることによって、光学機器とそのアダプタとの操作性（使い勝手）を向上し作業能率を向上できるという効果がある。
【０１８５】
また、ネジで固定された接続であるので、アダプタを引っ張られたりしたときに不用意に接続が切れたりすることがない。
【０１８６】
本発明の光学機器用のアダプタは、第２に、アダプタ本体としての三脚に三脚ネジ穴螺挿用の締結ねじを設け、締結ねじが光学機器に設けられた三脚ネジ穴内に螺挿された際に三脚ネジ穴内に設けられた被接続接点部に電気的に接続されるように、締結ねじに外部機器に接続するための電気的接続線が接続された接続接点部を設けて構成する。
【０１８７】
これにより、前述した第１の光学機器における作用、効果に加えて、光学機器をアダプタ本体としての三脚に取り付けて用いる場合には、例えば光学機器を所望の場所に設置して定点撮影をすることが可能となるから、光学機器をアダプタ本体としての三脚に固定して使用したい所へ設置し、離れた場所からアダプタを介して外部機器でリモートコントロールしながら作業を行うというように、光学機器に新たな機能を発揮させ、光学機器の用途を拡大させることができるという効果がある。
【０１８８】
本発明の光学機器用のアダプタは、第３に、ポータブルタイプのアダプタ本体に設けた三脚ネジ穴螺挿用の締結ねじが光学機器に設けられた三脚ネジ穴内に螺挿された際に、締結ねじに設けられた、外部機器に接続するための電気的接続線が接続された接続接点部が、三脚ネジ穴内に設けられた被接続接点部に電気的に接続されるように構成する。
【０１８９】
これにより、前述した第１の光学機器における作用、効果に加えて、光学機器にポータブルタイプで通信の媒介機能を有するアダプタ本体を一体的に取り付けて用いる場合には、例えば、使用者がこれら一体となった光学機器とアダプタ本体とを容易に持ち運びできるから、通信の媒介機能を有するアダプタ本体を付けた光学機器を手に持って使用し、このときに記録したデータを外部機器へ送信して、外部機器でデータを処理したり、外部機器の大容量の記憶部に大量のデータを容易かつ迅速に保存させることも可能になるという効果がある。
【０１９０】
これにより、光学機器自体に容量の大きな記憶部を設ける必要が無くなるので、光学機器自体を小型軽量化できるという効果がある。
【０１９１】
本発明の光学機器用のアダプタは、第４に、アダプタ本体に設けた回り止め部材が光学機器に設けられた回り止め穴内に挿入された際に、回り止め部材に設けられた、外部機器に接続するための電気的接続線が接続された接続接点部が、回り止め穴内に設けられた被接続接点部に電気的に接続されるよう構成する。
【０１９２】
これにより、三脚ネジ穴に付随する回り止め穴の構造をそのまま利用して、回り止め穴内に回り止め部材に設けた接続接点部を挿入保持した状態とし、この接続接点部に回り止め穴内に装着した被接続接点部を電気的に接続させる。これにより、被接続接点部に電気的接続線が接続された光学機器と、接続接点部に電気的接続線で接続された通信の媒介機能又は電源電力の供給機能を有するアダプタを介して、外部機器との間で送信若しくは受信若しくは送受信又は電力の供給が可能な状態とできるという効果がある。
【図面の簡単な説明】
【図１】本発明の光学機器に関する第１実施の形態に係る小型縦型のカメラ本体と、これに取り付け可能な三脚を示す概略斜視図である。
【図２】本発明の光学機器に関する第１実施の形態に係るカメラ本体と、三脚に設けた接続端子部とを係合する部分の縦断面図である。
【図３】本発明の光学機器に関する第１実施の形態に係るカメラ本体に三脚に設けた接続端子部を係合した部分の縦断面図である。
【図４】本発明光学機器に関する第２実施の形態に係るカメラ本体と、三脚に設けた接続端子部とを係合する部分の縦断面図である。
【図５】本発明光学機器に関する第２実施の形態に係るカメラ本体に三脚に設けた接続端子部を係合した部分の縦断面図である。
【図６】本発明の光学機器に関する第３実施の形態に係るカメラ本体と、三脚に設けた接続端子部とを係合する部分の縦断面図である。
【図７】本発明の光学機器に関する第３実施の形態に係るカメラ本体に三脚に設けた接続端子部を係合した部分の縦断面図である。
【図８】本発明の光学機器に関する第４実施の形態に係るカメラ本体の回り止め穴と、三脚に設けた回り止め部材との接続する部分を示す縦断面図である。
【図９】本発明の光学機器に関する第４実施の形態に係るカメラ本体の回り止め穴に、三脚に設けた回り止め部材を係合した部分を示す縦断面図である。
【図１０】本発明の光学機器に関する第１実施の形態に係るカメラ本体に三脚に設けた接続端子部を係合した要部を取り出して示す拡大断面図である。
【図１１】本発明の光学機器に関する第４実施の形態に係るカメラ本体の回り止め穴に、三脚に設けた回り止め部材を係合した部分の他の構成例を示す縦断面図である。
【図１２】本発明の光学機器に関する第４実施の形態に係るカメラ本体の回り止め穴に、三脚に設けた回り止め部材を係合した要部を取り出して示す拡大断面図である。
【符号の説明】
１０　カメラ本体
１２　三脚ネジ穴
１４　接続針部（被接続接点部）
１４Ａ　　　　接続針部（被接続接点部）
１５　三脚
１７　ケース
１８　挿通孔部
１９　回り止め穴
２０　絶縁部材
２１　回り止め部材
２２　接続端子部
２２Ａ　　　　接続端子部
２４　締結ねじ
２６　接続頭部（接続接点部）
２６Ａ　　　　接続突出頭部
２７　挟持接続突部
２８　接続針の受け部
３０　絶縁部材
３８　挿入孔
４０　挿通孔
４２Ａ　　　　接続ケーブル
４２Ｂ　　　　接続ケーブル
４２Ｃ　　　　接続ケーブル
４４　パーソナルコンピュータ
４６　モニタ
４８　キーボード
５０　マウス
５２　アダプタ本体
５８　携帯電話
【図１】
2004064187.tif 000003
【図２】
2004064187.tif 000004
【図３】
2004064187.tif 000005
【図４】
2004064187.tif 000006
【図５】
2004064187.tif 000007
【図６】
2004064187.tif 000008
【図７】
2004064187.tif 000009
【図８】
2004064187.tif 000010
【図９】
2004064187.tif 000011
【図１０】
2004064187.tif 000012
【図１１】
2004064187.tif 000013
【図１２】
2004064187.tif 000014